【事件の表示】
　特願２００５−２４９５５５「情報処理装置およびファン制御方法」拒絶査定不服審判事件〔平成１９年　３月１５日出願公開、特開２００７−　６５８７１〕について、次のとおり審決する。
【結　論】
　本件審判の請求は、成り立たない。
【理　由】
１．手続きの経緯
　本願は、平成１７年８月３０日の出願であって、平成２０年７月４日付けで拒絶査定がなされたところ、これに対して同年８月７日に拒絶査定に対する審判請求がなされ、同年９月８日に手続補正書が提出されたものである。
　
２．本願発明
　本願請求項１に係る発明（以下、「本願発明」という。）は、平成２０年９月８日に提出された手続補正書により補正された明細書及び図面の記載からみて、その特許請求の範囲の請求項１に記載された事項により特定される次のとおりのものである。
　
「本体と、
　前記本体内に設けられた発熱デバイスと、
　前記本体内に設けられ、前記発熱デバイスを冷却する冷却ファンと、
　前記冷却ファンが回転停止している状態で、前記冷却ファンを目標回転速度よりも高速の所定の起動回転速度で回転させるための第１の値の制御信号を前記冷却ファンに供給すると共に、前記第１の値の制御信号を前記冷却ファンに供給しながら前記冷却ファンの回転速度を監視し、前記冷却ファンの回転速度が、前記目標回転速度よりも低速で且つ前記冷却ファンが定速回転可能な所定の回転速度に達したことが検出された場合、前記冷却ファンを前記目標回転速度で回転させるための第２の値の制御信号を前記冷却ファンに供給するファン制御手段とを具備することを特徴とする情報処理装置。」
　
３．引用例
　原査定の拒絶の理由に引用された特開２００１−１２５６８２号公報（以下、「引用例」という。）には、図とともに、以下のような記載がある。
（イ）「【発明の属する技術分野】本発明は、放熱用ファンを内蔵したコンピュータ、及び放熱用ファンの回転速度制御方法に関する。」（段落【０００１】）
　　
（ロ）「【００１０】また、本発明は、前記制御手段に、前記放熱用ファンの起動時に当該放熱用ファンに予め定められた駆動電圧を一定期間印加し、その後、回転速度が一定となるように駆動電圧を制御する手段を有してなることを特徴とする。
【００１１】また、本発明は、前記制御手段に、前記放熱用ファンの起動時に当該放熱用ファンに予め定められた駆動電圧を一定期間印加して前記放熱用ファンを高速回転駆動し、当該状態を確認して後、予め定められた目標回転速度となるように駆動電圧を制御する手段を有してなることを特徴とする。」（段落【００１０】、【００１１】）
　
（ハ）「【００１６】また、上記放熱用ファンの回転速度制御方法に於いて、予め設定された放熱用ファンの目標回転速度及び特性データをもとに、放熱用ファンの回転速度を制御することを特徴とする。
【００１７】具体例を挙げると、本発明の実施形態に於いては、放熱用ファンに、ファンの回転に応じてパルス信号を出力する機能を設け、ＢＩＯＳの目標回転数指示に従い、マイクロプロセッサが上記当該パルス信号をもとに取得した放熱用ファンの単位時間あたりの回転数と上記ＢＩＯＳを指示された目標回転数とに従い、放熱用ファンの駆動電源電圧をコントロールし、放熱用ファンの回転速度が目標回転数に近付くように制御する。
【００１８】また、ＢＩＯＳに、マイクロプロセッサとのインタフェースとして、放熱用ファンの目標回転速度、及び放熱用ファンの特性データを持たせることにより、実装放熱用ファンやシステム構成等が変わってもＢＩＯＳを変更するだけで放熱用ファンの最適回転制御が可能となる。
【００１９】更に、この種の放熱用ファンは、起動時に、ファンが高速回転する、ある一定電圧をかける必要があることから、放熱用ファンの起動時は、回転制御を行わず、一定時間、ある決められた駆動電圧を放熱用ファンに印加した後、放熱用ファンの回転制御を行う。」（段落【００１６】〜【００１９】）
　
（ニ）「【発明の実施の形態】以下図面を参照して本発明の実施形態を説明する。
【００２３】図１は本発明の実施形態に於ける要部の構成要素を示すブロック図である。
【００２４】図に於いて、１１は回転制御の対象となる放熱用ファンであり、ここではファンの回転に伴いパルス信号（ＦＡＮＧ）を出力する、例えば光学センサを用いたファン回転パルス検出器１１Ｄを設けて構成される。
【００２５】１２は制御用のマイクロプロセッサ（ＭＰＣ）であり、ＢＩＯＳ−ＲＯＭ１３に格納されたＢＩＯＳの回転数指示に従い、図２及び図３に示すような放熱用ファン１１の起動制御及び回転速度制御を行う。
【００２６】１３は制御用のＢＩＯＳプログラムが格納されたＢＩＯＳ−ＲＯＭであり、ここではマイクロプロセッサ（ＭＰＣ）１２により実行される、図２及び図３に示すような処理を実行させるための放熱制御プログラム（ＭＲＴ）が格納される。
【００２７】１４は上記マイクロプロセッサ（ＭＰＣ）１２の制御により放熱用ファン１１を回転駆動制御する駆動電圧制御回路であり、ここではマイクロプロセッサ（ＭＰＣ）１２の制御の下に放熱用ファン１１の回転を段階的に制御するファン駆動電圧（ＰＯＤ）を放熱用ファン１１に印加して、当該ファン駆動電圧（ＰＯＤ）に従い放熱用ファン１１を起動し回転速度制御する。
【００２８】１５は上記マイクロプロセッサ（ＭＰＣ）１２の処理に供されるＲＡＭであり、ここでは、目標回転速度、放熱用ファンの特性データ等が設定された参照テーブル（ＴＢＬ）をもつ。
【００２９】図２及び図３はそれぞれ上記ＢＩＯＳ−ＲＯＭ１３の回転数指示に従いマイクロプロセッサ（ＭＰＣ）１２により実行される処理手順を示すフローチャートであり、図２はファン起動制御時に実行される処理ルーチンを示し、図３はファン起動後に於けるファン回転制御（図２のステップＳ１７）の処理ルーチンを示している。
【００３０】図４は上記放熱用ファン１１の実装例を示す斜視図である。図中、４１は放熱用ファン１１を収納したコンピュータ本体の筐体、４２は筐体４１に収納されて放熱用ファン１１の上面に設けられた、例えばＣＰＵが実装される回路基板、４３は放熱板を兼ねた放熱用ファン１１の取り付けプレートである。１１ｓは放熱用ファン１１のモータと駆動電圧制御回路１４との間の回路接続、及び放熱用ファン１１に設けられたファン回転パルス検出器１１Ｄと制御用マイクロプロセッサ（ＭＰＣ）１２との間の回路接続を行うための配線、１１ｃは同配線接続用の３端子コネクタである。ＦＡ，ＦＢはそれぞれ放熱用ファン１１による排気流を示す。」（段落【００２２】〜【００３０】）
　　
（ホ）「【００３１】ここで、上記各図を参照して、本発明の実施形態に於ける動作を説明する。
【００３２】ＢＩＯＳからのファン回転指示に伴い、制御用マイクロプロセッサ（ＭＰＣ）１２は、駆動電圧制御回路１４を介して、先ず放熱用ファン１１に、予め定められた起動時の駆動電圧を印加して、放熱用ファン１１を高速回転駆動し、その後に、図２に示す処理ルーチンを例えば１秒おきに実行する。
【００３３】ここでは、放熱用ファン１１に設けられたファン回転パルス検出器１１Ｄより出力されるパルス信号（ＦＡＮＧ）をカウントして得た１秒毎のカウント数を現在のファン回転数（ｒｐｓ）として検出し（図２ステップＳ１１）、ＲＡＭ１５の所定レジスタ領域に保持する（図２ステップＳ１２）。
【００３４】続いて上記検出したファン回転数（ｒｐｓ）から放熱用ファン１１が現在ウォームアップ中（起動モード）であるか否かを判断する（図２ステップＳ１３）。ここで、ウォームアップ中（起動モード）であれば、起動後、２秒（ウォームアップ期間）を経過したか否かを判断し（図２ステップＳ１４）、２秒（ウォームアップ期間）を経過していれば、ウォームアップ（起動モード）を終了する（図２ステップＳ１５）。
【００３５】尚、実機に於ける処理では、ウォームアップ中（起動モード）のファン回転数（ｒｐｓ）から、放熱用ファン１１が正常に回転起動しているか否かを判断し、正常に起動していない際は、ウォームアップを中止して（即ちファン駆動電圧（ＰＯＤ）の供給を止めて）、所定時間経過後、再度ウォームアップを試みるチェックルーチンが介在するが、ここではその処理ルーチンを省略して示している。
【００３６】また、上記放熱用ファン１１が現在ウォームアップ中（起動モード）であるか否かの判断（図２ステップＳ１３）に於いて、ウォームアップ中（起動モード）であれば、上記ファン回転数（ｒｐｓ）から、放熱用ファン１１の回転制御を必要とするファン回転制御状態（ファン回転制御モード）にあるか否かを判断し（図２ステップＳ１６）、ファン回転制御状態（ファン回転制御モード）にあれば図３に示すファン回転制御ルーチンを実行（図２ステップＳ１７）し、ファン回転制御状態にないときは処理を終了する。
【００３７】上記ファン回転制御ルーチンに於いては、先ず放熱用ファン１１のファン回転数（ｒｐｓ）とＲＡＭ１５の参照テーブル（ＴＢＬ）に設定された目標回転速度を示す目標回転数（ｒｐｓ）とを比較して、放熱用ファン１１のファン回転数（ｒｐｓ）が目標回転数（ｒｐｓ）より大きいか否かを判断する（図３ステップＳ２１）。
【００３８】ここで、放熱用ファン１１のファン回転数（ｒｐｓ）が目標回転数（ｒｐｓ）より大きい際は、上記ファン回転数（ｒｐｓ）がＲＡＭ１５の参照テーブル（ＴＢＬ）に設定されたファン回転設定範囲の上限に達したか否かを判断し（図３ステップＳ２２）、ファン回転設定範囲の上限に達していれば放熱用ファン１１の回転速度を１段階下げる（図３ステップＳ２３）。即ち、ファン駆動電圧（ＰＯＤ）を設定された１段分の電圧値だけ減じて、放熱用ファン１１を回転速度を段階的に下げる。また、上記ファン回転数（ｒｐｓ）がファン回転設定範囲の上限に達していなければそのまま処理を終了する。
【００３９】また、上記放熱用ファン１１のファン回転数（ｒｐｓ）が目標回転数（ｒｐｓ）より大きいか否かの判断（図３ステップＳ２１）に於いて、放熱用ファン１１のファン回転数（ｒｐｓ）が目標回転数（ｒｐｓ）以下である際は、上記ファン回転数（ｒｐｓ）がＲＡＭ１５の参照テーブル（ＴＢＬ）に設定されたファン回転設定範囲の下限に達したか否かを判断し（図３ステップＳ２４）、ファン回転設定範囲の下限に達していれば放熱用ファン１１の回転速度を１段階上げ（図３ステップＳ２５）、ファン回転設定範囲の下限に達していなければそのまま処理を終了する。
【００４０】このようにして、ファン回転制御状態（ファン回転制御モード）に於いては、放熱用ファン１１に設けられたファン回転パルス検出器１１Ｄより出力されるパルス信号（ＦＡＮＧ）にもとづいて、駆動電圧制御回路１４から放熱用ファン１１に印加されるファン駆動電圧（ＰＯＤ）が可変制御され、放熱用ファン１１が常に、目標回転速度となるように駆動制御される。」（段落【００３１】〜【００４０】）
　
（ヘ）「【００４１】このようなファン回転制御により、放熱用ファン１１各々に固有の、単位時間あたりの回転数、特性等に拘わらず、常に、放熱効率がよく、騒音の少ない、最適状態で放熱用ファン１１を回転駆動制御できる。
【００４２】また、機種の変更、放熱用ファン１１の変更等に対しても、ＢＩＯＳの設定内容を変更するのみで、簡単に他の機種、他の放熱用ファンに適用できる。
【００４３】尚、この実施形態に於いては、図２示す処理ルーチンを１秒おきに実行し、ウォームアップ（起動モード）を２秒間行うＢＩＯＳ制御を例に示したが、他の機種等に適用する際は、その各単位時間を必要に応じて任意に変更可能であり、要は本発明の主旨を逸脱しない範囲で種々の機器に適用可能である。」（段落【００４１】〜【００４３】）
　
　以上の記載によれば、この引用例には以下のような発明（以下、「引用例発明」という。）が開示されていると認められる。
　
「コンピュータ本体と、
　前記コンピュータ本体の筐体に収納された放熱用ファンと、
　前記コンピュータ本体の筐体に収納されて放熱用ファンの上面に設けられたＣＰＵが実装される回路基板と、
　放熱用ファンに設けられたファン回転パルス検出器と、
　目標回転速度、放熱用ファンの特性データ等が設定されたＲＡＭの参照テーブル（ＴＢＬ）と、
　ＢＩＯＳ−ＲＯＭに格納されたＢＩＯＳの回転数指示に従い放熱ファンの起動制御及び回転速度制御を行う制御用マイクロプロセッサを具備し、
　ＢＩＯＳからのファン回転指示に伴い、制御用マイクロプロセッサは、先ず放熱用ファンに、予め定められた起動時の駆動電圧を印加して、放熱用ファンを高速回転駆動し、放熱用ファンに設けられたファン回転パルス検出器より出力されるパルス信号（ＦＡＮＧ）をカウントして得た１秒毎のカウント数を現在のファン回転数（ｒｐｓ）として検出してＲＡＭに保持し、続いて上記検出したファン回転数（ｒｐｓ）から放熱用ファンが現在ウォームアップ中（起動モード）であるか否かを判断し、ウォームアップ中（起動モード）であれば、上記ファン回転数（ｒｐｓ）から、放熱用ファンの回転制御を必要とするファン回転制御状態（ファン回転制御モード）にあるか否かを判断し、ファン回転制御状態（ファン回転制御モード）にあればファン回転制御ルーチンを実行し、ファン回転制御状態にないときは処理を終了する処理ルーチンを例えば１秒おきに実行し、
　ファン回転制御ルーチンに於いて、先ず放熱用ファンのファン回転数（ｒｐｓ）とＲＡＭの参照テーブル（ＴＢＬ）に設定された目標回転速度を示す目標回転数（ｒｐｓ）とを比較して、放熱用ファンのファン回転数（ｒｐｓ）が目標回転数（ｒｐｓ）より大きいか否かを判断し、
　上記放熱用ファンのファン回転数（ｒｐｓ）が目標回転数（ｒｐｓ）より大きい際は、上記ファン回転数（ｒｐｓ）がＲＡＭの参照テーブル（ＴＢＬ）に設定されたファン回転設定範囲の上限に達したか否かを判断し、ファン回転設定範囲の上限に達していれば放熱用ファンの回転速度を１段階下げ、ファン駆動電圧（ＰＯＤ）を設定された１段分の電圧値だけ減じて、放熱用ファンの回転速度を段階的に下げ、上記ファン回転数（ｒｐｓ）がファン回転設定範囲の上限に達していなければそのまま処理を終了し、
　上記放熱用ファンのファン回転数（ｒｐｓ）が目標回転数（ｒｐｓ）より大きいか否かの判断に於いて、放熱用ファンのファン回転数（ｒｐｓ）が目標回転数（ｒｐｓ）以下である際は、上記ファン回転数（ｒｐｓ）がＲＡＭの参照テーブル（ＴＢＬ）に設定されたファン回転設定範囲の下限に達したか否かを判断し、ファン回転設定範囲の下限に達していれば放熱用ファンの回転速度を１段階上げ、ファン回転設定範囲の下限に達していなければそのまま処理を終了することを特徴とする放熱用ファンを内蔵したコンピュータ。」　
　
４．対　比
　本願発明と引用例発明とを対比する。
　引用例発明の「コンピュータ」、「コンピュータ本体」、「ＣＰＵ」は、それぞれ本願発明の「情報処理装置」、「本体」、「本体内に設けられた発熱デバイス」に相当し、引用例発明の「コンピュータ本体の筐体に収納された放熱用ファン」は、本願発明の「本体内に設けられ、前記発熱デバイスを冷却する冷却ファン」に相当する。
　引用例発明の「放熱用ファンのファン回転数」及び「放熱用ファンの回転速度」は、本願発明の「回転速度」に相当する。
　引用例発明の「目標回転速度、放熱用ファンの特性データ等が設定されたＲＡＭの参照テーブル（ＴＢＬ）と、ＢＩＯＳ−ＲＯＭに格納されたＢＩＯＳの回転数指示に従い放熱ファンの起動制御及び回転速度制御を行う制御用マイクロプロセッサ」は、本願発明の「ファン制御手段」に相当する。
　引用例発明の「ＢＩＯＳからのファン回転指示に伴い、制御用マイクロプロセッサは、先ず放熱用ファンに、予め定められた起動時の駆動電圧を印加して、放熱用ファンを高速回転駆動し」と、本願発明の「冷却ファンが回転停止している状態で、前記冷却ファンを目標回転速度よりも高速の所定の起動回転速度で回転させるための第１の値の制御信号を前記冷却ファンに供給する」は、「冷却ファンが回転停止している状態で、前記冷却ファンを高速の所定の起動回転速度で回転させるための第１の値の制御信号を前記冷却ファンに供給する」する点で共通しているといえる。
　引用例発明の「放熱用ファンに設けられたファン回転パルス検出器より出力されるパルス信号（ＦＡＮＧ）をカウントして得た１秒毎のカウント数を現在のファン回転数（ｒｐｓ）として検出してＲＡＭに保持し、続いて上記検出したファン回転数（ｒｐｓ）から放熱用ファンが現在ウォームアップ中（起動モード）であるか否かを判断し、ウォームアップ中（起動モード）であれば、上記ファン回転数（ｒｐｓ）から、放熱用ファンの回転制御を必要とするファン回転制御状態（ファン回転制御モード）にあるか否かを判断し、ファン回転制御状態（ファン回転制御モード）にあれば」は、本願発明の「冷却ファンの回転速度を監視し、前記冷却ファンの回転速度が、前記目標回転速度よりも低速で且つ前記冷却ファンが所定の回転速度に達したことが検出された場合」と、「冷却ファンの回転速度を監視し、前記冷却ファンの回転速度が、前記冷却ファンが所定の回転速度に達したことが検出された場合」で共通するといえる。
　引用例発明の「ファン回転制御ルーチンに於いて、先ず放熱用ファンのファン回転数（ｒｐｓ）とＲＡＭの参照テーブル（ＴＢＬ）に設定された目標回転速度を示す目標回転数（ｒｐｓ）とを比較して、放熱用ファンのファン回転数（ｒｐｓ）が目標回転数（ｒｐｓ）より大きいか否かを判断し」、「放熱用ファンのファン回転数（ｒｐｓ）が目標回転数（ｒｐｓ）以下である際は、上記ファン回転数（ｒｐｓ）がＲＡＭの参照テーブル（ＴＢＬ）に設定されたファン回転設定範囲の下限に達したか否かを判断し、ファン回転設定範囲の下限に達していれば放熱用ファンの回転速度を１段階上げ」は、本願発明の「前記冷却ファンの回転速度が、前記目標回転速度よりも低速で且つ前記冷却ファンが定速回転可能な所定の回転速度に達したことが検出された場合、前記冷却ファンを前記目標回転速度で回転させるための第２の値の制御信号を前記冷却ファンに供給する」と、「前記冷却ファンの回転速度が、前記目標回転速度よりも低速で且つ前記冷却ファンが所定の回転速度に達したことが検出された場合、前記冷却ファンを前記目標回転速度で回転させるための第２の値の制御信号を前記冷却ファンに供給する」点で共通するといえる。
　
　そうすると、両者は、
「本体と、
　前記本体内に設けられた発熱デバイスと、
　前記本体内に設けられ、前記発熱デバイスを冷却する冷却ファンと、
　前記冷却ファンが回転停止している状態で、前記冷却ファンを高速の所定の起動回転速度で回転させるための第１の値の制御信号を前記冷却ファンに供給すると共に、前記第１の値の制御信号を前記冷却ファンに供給しながら前記冷却ファンの回転速度を監視し、前記冷却ファンの回転速度が、前記目標回転速度よりも低速で且つ前記冷却ファンが所定の回転速度に達したことが検出された場合、前記冷却ファンを前記目標回転速度で回転させるための第２の値の制御信号を前記冷却ファンに供給するファン制御手段とを具備することを特徴とする情報処理装置。」
で一致するものであり、次の（１）、（２）の点で相違している。
　
（１）第１の値の制御信号が、本願発明では、「冷却ファンを目標回転速度よりも高速の所定の起動回転速度で回転させるための」ものであるのに対し、引用例発明では、予め定められた起動時の駆動電圧であって、放熱用ファンを高速回転駆動するものである点。
　
（２）第２の値の制御信号を前記冷却ファンに供給するのが、本願発明は、冷却ファンの回転速度が、「目標回転速度よりも低速で且つ前記冷却ファンが定速回転可能な所定の回転速度」に達したことが検出された場合であるのに対し、引用例発明は、ファン回転数（ｒｐｓ）から、放熱用ファンの回転制御を必要とするファン回転制御状態（ファン回転制御モード）にあると判断された場合であって、当該ファン回転数（ｒｐｓ）が目標回転数（ｒｐｓ）よりも小さいと決まっていない点。
　
　
５．当審の判断
　上記相違点について検討する。
・相違点（１）について
　引用例には、「この種の放熱用ファンは、起動時に、ファンが高速回転する、ある一定電圧をかける必要がある」（記載事項（ハ）段落【００１９】）と記載されている。
　そして、冷却ファンを回転起動する際に、先ず冷却ファンを目標回転速度より高速に回転させる制御信号を供給し、冷却ファンの回転を安定化させた後、目標回転速度に該当する制御信号を供給することは、本願出願前周知の技術（特開平１１−２３３９８４号公報段落【００６８】、【００６９】の記載、特開２００３−１２４４１４号公報段落【００１１】の記載参照）である。
　したがって、引用例発明において、「予め定められた起動時の駆動電圧」（本願発明の「第１の値の制御信号」に相当する。）を「冷却ファンを目標回転速度よりも高速の所定の起動回転速度で回転させるための」ものとすることは、当業者が容易になし得ることである。
　
・相違点（２）について
　引用例には「前記放熱用ファンの起動時に当該放熱用ファンに予め定められた駆動電圧を一定期間印加し、その後、回転速度が一定となるように駆動電圧を制御する」（記載事項（ロ）段落【００１０】）と記載されている。
　よって、引用例発明における「ファン回転制御状態（ファン回転制御モード）」にあると判断される「ファン回転数（ｒｐｓ）」は、ＲＡＭの参照テーブル（ＴＢＬ）に設定された一定の回転速度となるように制御されるから、放熱用ファンが定速回転可能な所定の回転数であると解され、この点は、実質的な相違点ではない。
　そして、引用例発明において、ファン回転制御状態（ファン回転制御モード）にあると判断されたファン回転数（ｒｐｓ）と目標回転数（ｒｐｓ）との大小関係は決まっているものではないが、上記放熱用ファンのファン回転数（ｒｐｓ）が目標回転数（ｒｐｓ）以下である際に、放熱用ファンの回転速度を１段階上げるようにしているから、引用例発明において、上記放熱用ファンのファン回転数（ｒｐｓ）を目標回転数（ｒｐｓ）よりも低いものとすることは容易になし得ることである。
　
　そして、本願発明により奏される効果は当業者であれば引用例発明及び周知技術から予想できる範囲内のものである。
　
６．むすび
　以上のとおり、本願発明は、引用例発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。